(57)【要約】      （修正有）【課題】開錠され難く、盗難を防ぐことができる錠前を提供する。【解決手段】筒１と、タンブラーセット２と、前方ディスクセット３と、前方ディスク４と、後方ディスクセット５と、後方ディスク６とを含んでなり、タンブラーセットは、タンブラー２０と、弾性部材２１とを含んでなり、該タンブラーは、孔内１５を移動することができ、前方ディスクセットは、軸管３０と、軸管上に並列に設けられた複数のディスク体とを含んでなり、複数のディスク体は、前方空間内１４０に位置し、互いに歯合して回転し、後方ディスクセットは、軸５０と、該軸上に設けられた複数のディスク体とを含んでなり、複数のディスク体が後方空間内１４１で互いに歯合して回転し、他のディスク体が軸に対応して回転し、後方ディスクは、前方ディスクの外側に位置し、軸上に固定して設けられる。【選択図】図１
2012062639.tif 000002
【特許請求の範囲】
【請求項１】
筒と、タンブラーセットと、前方ディスクセットと、前方ディスクと、後方ディスクセットと、後方ディスクと、を含んでなり、
該筒は、外筒と、内筒と、蓋体と、を含んでなり、該外筒は、後方に向けて一側面に開口を具えた設置空間と、該設置空間の孔に貫通し、設置空間内に設けられる内筒は前方空間と後方空間とに仕切られ、隙間を具えてなり、該蓋体が後方空間を閉じるために開口に設けられ、
タンブラーセットは、タンブラーと、弾性部材とを含んでなり、該タンブラーは、孔内を移動することができ、タンブラーの一端が設置空間内に延伸し、且つ凸部を具えてなり、
該弾性部材は、タンブラーに設置空間と反対の方向に弾性を供し、
前方ディスクセットは、軸管と、軸管上に並列に設けられた複数のディスク体とを含んでなり、軸管の一端が内筒上に回動自在に接続し、他端が設置空間の閉じられた側面に回動自在に穿設され、複数のディスク体は、前方空間内に位置し、互いに歯合して回転し、それぞれのディスク体の外周縁部には凹部が設けられ、凸部が移動するために供し、その内一つのディスク体が軸管上に固定して設けられ、他のディスク体は軸管の回転に対応し、
前方ディスクは、外筒の設置空間の開口に対向する側面上に位置し、軸管上に固定して設けられ、
後方ディスクセットは、軸と、該軸上に設けられた複数のディスク体とを含んでなり、該軸が軸管内に回動自在に穿設され、一端が後方空間内に延伸し、他端が前方ディスクの外側に突出するように延伸して設けられ、複数のディスク体が後方空間内で互いに歯合して回転し、それぞれのディスク体の端縁部に形成された凹部はその中を移動すると凸部を供し、その内の一つのディスク体が軸上に固定され、他のディスク体が軸に対応して回転し、
後方ディスクは、前方ディスクの外側に位置し、軸上に固定して設けられることを特徴とする錠前。
【請求項２】
前記前方ディスクセットと、後方ディスクセットが、それぞれのディスク体の外周縁部に複数の凸凹を具えてなり、該筒内に緩衝弾性片を設けてなり、該緩衝弾性片がディスク体の外周面の少なくとも一以上の側面に当接することを特徴とする請求項１に記載の錠前。
【請求項３】
前記前方ディスクセットが、第一ディスク体と、第二ディスク体とを含んでなり、第一ディスク体が軸管上に固定され、軸部を具えてなり、第二ディスク体が、軸部上に回動自在に設けられ、該第一、第二ディスク体の対向するディスク面上にそれぞれ互いに動かす凸部を具えてなり、後方ディスクセットが、第三ディスク体と、第四ディスク体とを含んでなり、該第三ディスク体が軸上に固定して設けられ、軸部を具えてなり、第四ディスク体が、軸部上に回動自在に設けられ、第三、第四ディスク体の対向するディスク面上にそれぞれ互いに動かす凸部を設けてなることを特徴とする請求項２に記載の錠前。
【請求項４】
前記前方ディスクセットが、第一ディスク体の軸部上に設けられたパッドを含んでなり、第一、第二ディスク体のディスク面の間を仕切り、後方ディスクセットが、第三ディスク体の軸部上に設けられたパッドを含んでなり、第三、第四ディスク体のディスク面の間を仕切ることができる請求項３に記載の錠前。
【発明の詳細な説明】
【技術分野】
【０００１】
この発明は、錠前であって、特にドア、バッグなどに設けてパスワードで開閉する錠前に関する。
【背景技術】
【０００２】
一般に錠前は電子式、機械式の二つに大きく分けられる。
【０００３】
電子式の錠前は、容易に開錠されるが、機械式の錠前にはそのような欠点はない。
【０００４】
機械式の錠前は、カギ式と、暗証番号式に分けられる。
【０００５】
カギ式は適宜な鍵がないと開錠できない。このため、鍵を忘れた場合には開錠できないという状況が発生する。
【０００６】
暗証番号式の錠前は、暗証番号を記憶していれば、簡単に開錠することができるため、前述のような問題がなく、比較的便利である。
【０００７】
現在、市場で一般的に見られる暗証番号式の錠前は複数の番号タイヤを動かして錠前を開錠するように制御する。
【０００８】
しかしながら、それぞれの番号タイヤはいずれも０〜９までの十個の番号しかなく、時計周り、或いは逆時計回りのいずれも開錠の目的を達成することができる。
【０００９】
よって、暗証番号の排列の組み合わせが少なく、暗証番号が容易に解読されて開錠される。
【発明の開示】
【発明が解決しようとする課題】
【００１０】
この発明は、開錠され難く、盗難を防ぐことができる錠前を提供することを課題とする。
【課題を解決するための手段】
【００１１】
そこで、本発明者は従来の技術に見られる欠点に鑑みて鋭意研究を重ねた結果、筒と、タンブラーセットと、前方ディスクセットと、前方ディスクと、後方ディスクセットと、後方ディスクと、を含んでなり、
該筒は、外筒と、内筒と、蓋体と、を含んでなり、該外筒は、後方に向けて一側面に開口を具えた設置空間と、該設置空間の孔に貫通し、設置空間内に設けられる内筒は前方空間と後方空間とに仕切られ、隙間を具えてなり、該蓋体が後方空間を閉じるために開口に設けられ、
タンブラーセットは、タンブラーと、弾性部材とを含んでなり、該タンブラーは、孔内を移動することができ、タンブラーの一端が設置空間内に延伸し、且つ凸部を具えてなり、
該弾性部材は、タンブラーに設置空間と反対の方向に弾性を供し、
前方ディスクセットは、軸管と、軸管上に並列に設けられた複数のディスク体とを含んでなり、軸管の一端が内筒上に回動自在に接続し、他端が設置空間の閉じられた側面に回動自在に穿設され、複数のディスク体は、前方空間内に位置し、互いに歯合して回転し、それぞれのディスク体の外周縁部には凹部が設けられ、凸部が移動するために供し、その内一つのディスク体が軸管上に固定して設けられ、他のディスク体は軸管の回転に対応し、
前方ディスクは、外筒の設置空間の開口に対向する側面上に位置し、軸管上に固定して設けられ、
後方ディスクセットは、軸と、該軸上に設けられた複数のディスク体とを含んでなり、該軸が軸管内に回動自在に穿設され、一端が後方空間内に延伸し、他端が前方ディスクの外側に突出するように延伸して設けられ、複数のディスク体が後方空間内で互いに歯合して回転し、それぞれのディスク体の端縁部に形成された凹部はその中を移動すると凸部を供し、その内の一つのディスク体が軸上に固定され、他のディスク体が軸に対応して回転し、
後方ディスクは、前方ディスクの外側に位置し、軸上に固定して設けられる錠前によって課題を解決できる点に着眼し、かかる知見に基づいて本考案を完成させた。
【００１２】
以下、この発明について具体的に説明する。
請求項１に記載する錠前は、筒と、タンブラーセットと、前方ディスクセットと、前方ディスクと、後方ディスクセットと、後方ディスクと、を含んでなり、
該筒は、外筒と、内筒と、蓋体と、を含んでなり、該外筒は、後方に向けて一側面に開口を具えた設置空間と、該設置空間の孔に貫通し、設置空間内に設けられる内筒は前方空間と後方空間とに仕切られ、隙間を具えてなり、該蓋体が後方空間を閉じるために開口に設けられ、
タンブラーセットは、タンブラーと、弾性部材とを含んでなり、該タンブラーは、孔内を移動することができ、タンブラーの一端が設置空間内に延伸し、且つ凸部を具えてなり、
該弾性部材は、タンブラーに設置空間と反対の方向に弾性を供し、
前方ディスクセットは、軸管と、軸管上に並列に設けられた複数のディスク体とを含んでなり、軸管の一端が内筒上に回動自在に接続し、他端が設置空間の閉じられた側面に回動自在に穿設され、複数のディスク体は、前方空間内に位置し、互いに歯合して回転し、それぞれのディスク体の外周縁部には凹部が設けられ、凸部が移動するために供し、その内一つのディスク体が軸管上に固定して設けられ、他のディスク体は軸管の回転に対応し、
前方ディスクは、外筒の設置空間の開口に対向する側面上に位置し、軸管上に固定して設けられ、
後方ディスクセットは、軸と、該軸上に設けられた複数のディスク体とを含んでなり、該軸が軸管内に回動自在に穿設され、一端が後方空間内に延伸し、他端が前方ディスクの外側に突出するように延伸して設けられ、複数のディスク体が後方空間内で互いに歯合して回転し、それぞれのディスク体の端縁部に形成された凹部はその中を移動すると凸部を供し、その内の一つのディスク体が軸上に固定され、他のディスク体が軸に対応して回転し、
後方ディスクは、前方ディスクの外側に位置し、軸上に固定して設けられる。
【００１３】
請求項２に記載する錠前は、請求項１における前方ディスクセットと、後方ディスクセットが、それぞれのディスク体の外周縁部に複数の凸凹を具えてなり、該筒内に緩衝弾性片を設けてなり、該緩衝弾性片がディスク体の外周面の少なくとも一以上の側面に当接する。
【００１４】
請求項３に記載する錠前は、請求項２における前方ディスクセットが、第一ディスク体と、第二ディスク体とを含んでなり、第一ディスク体が軸管上に固定され、軸部を具えてなり、第二ディスク体が、軸部上に回動自在に設けられ、該第一、第二ディスク体の対向するディスク面上にそれぞれ互いに動かす凸部を具えてなり、後方ディスクセットが、第三ディスク体と、第四ディスク体とを含んでなり、該第三ディスク体が軸上に固定して設けられ、軸部を具えてなり、第四ディスク体が、軸部上に回動自在に設けられ、第三、第四ディスク体の対向するディスク面上にそれぞれ互いに動かす凸部を設けてなる。
【００１５】
請求項４に記載する錠前は、請求項３における前方ディスクセットが、第一ディスク体の軸部上に設けられたパッドを含んでなり、第一、第二ディスク体のディスク面の間を仕切り、後方ディスクセットが、第三ディスク体の軸部上に設けられたパッドを含んでなり、第三、第四ディスク体のディスク面の間を仕切る。
【発明の効果】
【００１６】
この発明の錠前は、盗難を防ぐことができて実用的であるという効果を有する。
【発明を実施するための最良の形態】
【００１７】
この発明は、開錠され難く、盗難を防ぐことができる錠前であって、筒と、タンブラーセットと、前方ディスクセットと、前方ディスクと、後方ディスクセットと、後方ディスクと、を含んでなり、
該筒は、外筒と、内筒と、蓋体と、を含んでなり、該外筒は、後方に向けて一側面に開口を具えた設置空間と、該設置空間の孔に貫通し、設置空間内に設けられる内筒は前方空間と後方空間とに仕切られ、隙間を具えてなり、該蓋体が後方空間を閉じるために開口に設けられ、
タンブラーセットは、タンブラーと、弾性部材とを含んでなり、該タンブラーは、孔内を移動することができ、タンブラーの一端が設置空間内に延伸し、且つ凸部を具えてなり、
該弾性部材は、タンブラーに設置空間と反対の方向に弾性を供し、
前方ディスクセットは、軸管と、軸管上に並列に設けられた複数のディスク体とを含んでなり、軸管の一端が内筒上に回動自在に接続し、他端が設置空間の閉じられた側面に回動自在に穿設され、複数のディスク体は、前方空間内に位置し、互いに歯合して回転し、それぞれのディスク体の外周縁部には凹部が設けられ、凸部が移動するために供し、その内一つのディスク体が軸管上に固定して設けられ、他のディスク体は軸管の回転に対応し、
前方ディスクは、外筒の設置空間の開口に対向する側面上に位置し、軸管上に固定して設けられ、
後方ディスクセットは、軸と、該軸上に設けられた複数のディスク体とを含んでなり、該軸が軸管内に回動自在に穿設され、一端が後方空間内に延伸し、他端が前方ディスクの外側に突出するように延伸して設けられ、複数のディスク体が後方空間内で互いに歯合して回転し、それぞれのディスク体の端縁部に形成された凹部はその中を移動すると凸部を供し、その内の一つのディスク体が軸上に固定され、他のディスク体が軸に対応して回転し、
後方ディスクは、前方ディスクの外側に位置し、軸上に固定して設けられる錠前の構造と特徴を詳述するために具体的な実施例を挙げ、図示を参照にして以下に説明する。
【実施例】
【００１８】
図１から図７は、この発明の暗証番号式の錠前を示した説明図である。
【００１９】
該錠前は、筒１と、タンブラーセット２と、前方ディスクセット３と、前方ディスク４と、後方ディスクセット５と、後方ディスク６と、錠桿７とを含んでなる。
【００２０】
該筒１は、外筒１０と、内筒１１と、蓋体１２と、緩衝弾性片１３とを含んでなる。
【００２１】
該外筒１０は、後方に向けて一側面に開口を具えた設置空間１４を具えてなり、外筒１０の孔１５、及び孔１５の鍵穴１６に貫通する。
【００２２】
外筒１０の前方側面には正しい方向を現す表示１７が設けられる。
【００２３】
該内筒１１は、外筒１０内に位置し、且つ設置空間１４内を前方側面の前方空間１４０と、後方側面の後方空間１４１とに仕切る。
【００２４】
また、内筒１１上には孔１５に対応する位置に隙間１１０を設けてなる。
【００２５】
蓋体１２は、外筒１０の設置空間１４の開口内の後方空間１４１に蓋をするために螺設され、はんだ接続で外筒１０とはんだ接続される。
【００２６】
緩衝弾性片１３は、内筒１１の外側に接続して設けられ、少なくとも一側面が前方空間１４０と後方空間１４１に延伸する。
【００２７】
タンブラーセット２は、タンブラー２０と、弾性部材２１とを含んでなる。該タンブラー２０は、孔１５内を移動することができ、タンブラー２０の一端が設置空間１４内に延伸し、且つ凸部２２を具えてなる。
【００２８】
該凸部２２は、隙間１１０を移動し、該凸部２２の長さは孔１５よりも長く形成される。
【００２９】
該弾性部材２１は、圧縮バネであって、一端がタンブラー２０上に接触し、他端が内筒１１上に接触する。
【００３０】
該弾性部材２１は、タンブラー２０に設置空間１４と反対の方向に弾性を供する。
【００３１】
前方ディスクセット３は、軸管３０と、第一ディスク体３１と、第二ディスク体３２と、パッド３３とを含んでなる。
【００３２】
該軸管３０は、一端が内筒１１上に回動自在に接続し、他端が外筒１０の前方側面に回動自在に穿設される。
【００３３】
第一ディスク体３１は、前方空間１４０中で、且つ軸管３０上に固定して設けられる。
【００３４】
第一ディスク体３１の外周面は緩衝弾性片１３の側面が当接するために供し、複数の凸凹３１０と、凹部３１１が設けられる。
【００３５】
第一ディスク体３１のディスク面端縁部には凸部３１２が設けられ、中央には軸部３１３が突出して設けられ、軸管３０を穿設するために供する。
【００３６】
第二ディスク体３２は、軸部３１３上に回動自在に設けられる。
【００３７】
第二ディスク体３２の外周面は緩衝弾性片１３の側面が当接するために供し、複数の凸凹３２０と、凹部３２１が設けられる。
【００３８】
第二ディスク体３２は、第一ディスク体３１に向けたディスク面上に凸部３２２を設けてなる。該凸部３２２は、第一ディスク体３１上の凸部３１２に動かされ、第二ディスク３２を連動して回転させる。
【００３９】
該パッド３３は、軸部３１３上に設けられ、第一、第二ディスク体３１、３２の対向するディスク面の間を仕切るために供する。
【００４０】
前方ディスク４は、外筒１０の前方側面に位置するように設けられ、軸管３０上に固定して設けられる。
【００４１】
前方ディスク４のディスク面には環状に数字が表記される。
【００４２】
後方ディスクセット５は、軸５０と、第三ディスク体５１と、第四ディスク体５２と、パッド５３とを含んでなる。
【００４３】
該軸５０は、軸管３０内に回動自在に設けられ、一端が後方空間１４１に延伸し、他端が前方ディスク４の外側に突出するように延伸して設けられる。
【００４４】
第三ディスク体５１は、後方空間１４１内に位置するように設けられ、且つ軸５０上に固定して設けられる。
【００４５】
第三ディスク体５１の外周面は、緩衝弾性片１３の側面を当接するために供し、複数の凸凹５１０と、凹部５１１とが設けられる。
【００４６】
第三ディスク体５１のディスク面は端縁部に隣接する部分に凸部５１２を設けてなり、中央には軸部５１３を突出して設けてなり、軸５０を穿設するために供する。
【００４７】
第四ディスク体５２は、軸部５１３上に回動自在に設けられる。第四ディスク体５２の外周縁部は緩衝弾性片１３の側面が当接するために供し、複数の凸凹５２０と、凹部５２１とを設けてなる。
【００４８】
第四ディスク体５２は、第三ディスク体５１に対向するディスク面上に凸部５２２を設けてなる。
【００４９】
該凸部５２２は、第三ディスク体５１上の凸部５１２に動かされ、第四ディスク体５２を連動して回転させる。
【００５０】
該パッド５３は、軸部５１３上に設けられ、且つ第三、第四ディスク体５１、５２の対向するディスク面の間を仕切るために供する。
【００５１】
後方ディスク６は、前方ディスク４の外側に位置し、軸５０上に固定して設けられる。
【００５２】
後方ディスク６のディスク面には、環状に数字が表記して設けられる。
【００５３】
錠桿７は、鍵穴１６に穿設するために供し、錠桿７上には、少なくとも一以上の溝７０が設けられ、タンブラー２０の外側端縁部を嵌合するために供する。
【００５４】
前方ディスクセット３、或いは後方ディスクセット５の中のディスク体３１、３２、５１、５２の凹部３１１、３２１、５１１、５２１が隙間１１０に対応していない位置にある場合、タンブラー２０の凸部２２がディスク体の外周縁部に当接し、タンブラー２０が孔１５内を移動できない。
【００５５】
よって、タンブラー２０の外側端縁部が錠桿７の溝７０に嵌合されて、鍵が掛かった状態になる。
【００５６】
前方ディスク４を右回り、或いは左周りに回転させて軸管３０を通して第一ディスク体３１を連動して回転すると、第一ディスク体３１が凸部３１２と介してと凸部３２２を動かし、第二ディスク体３２が回転する。
【００５７】
前方ディスク４が一つ目の正しい暗証番号まで回転すると、第二ディスク体３２の凹部３２１が隙間１１０に対応する位置に移動する。
【００５８】
次に前方ディスク４を右回り、或いは左回りに回して二つ目の暗証番号が正しい位置に回転させると、第一ディスク体３１の凹部３１１が隙間１１０に対応する位置に移動する。
【００５９】
後方ディスク６を右回りか、或いは左回りに回して軸５０を介して第三ディスク体５１を連動して回転させると、第三ディスク体５１が凸部５１２を通して凸部５２２を動かし、第四ディスク体５２が回転する。
【００６０】
後方ディスク６が回転して三つ目の暗証番号が正しい位置に達すると、第四ディスク体５２の凹部５２１が隙間１１０に対応する位置に移動する。
【００６１】
後方ディスク６が右回り、或いは左周りに回転して四つ目の暗証番号が正しい位置に達すると、第三ディスク体５１の凹部５１１が隙間１１０に対応する位置に移動する。
【００６２】
よって、第一、二、三、四ディスク体３１、３２、５１、５２の凹部３１１、３２１、５１１、５２１がすべて隙間１１０に対応する位置に移動すると、タンブラー２０の凸部２２が、隙間１１０と、凹部３１１、３２１、５１１、５２１内を移動してタンブラー２０が孔１５の内部に移動し、開錠された状態になる。
【００６３】
この発明の実施形態において、前方ディスクセット３と、後方ディスクセット５のディスク体の数は必要に応じて増減することができる。
【００６４】
ディスク体の数が少なくなるほど、開錠するための暗証番号の組み合わせ数が少なくなり、数が多くなると、番号の組み合わせが多くなり、暗証番号の解読が難しくなり、安全性が高まる。
【００６５】
この発明の前方ディスク４と、後方ディスク６は、実際の使用状況により使用するか否かを決めることができる。
【００６６】
例えば、短時間の間常に開錠した状態にする場合、一つのディスクを予め正確な番号まで回転させておけば、他のディスクを正確な番号まで回転するだけで開錠することができる。
【００６７】
開錠する時間の間隔が比較的長い場合には、同時に二組を正確な番号まで回転させて開錠することもできる。
【００６８】
また、二つのディスクの暗証番号は二人がそれぞれ所有することができるため、開錠する場合には二人がそろっていなければならないため、安全性をさらに高めることができる。
【００６９】
図８は、この発明の錠前をオートバイの錠前８上に使用した状態を示した説明図である。
【００７０】
筒１は、錠前８のヘッド上に接続して設けられる。
【００７１】
錠桿７は、錠前８のＵ字状に形成される。
【００７２】
図９は、この発明の錠前を伸縮する錠桿を具えた車の錠前９上に設けて、杖、ギアや、ハンドル用の錠前などに応用することができる。
【００７３】
筒１は、車用の錠前９のヘッド上に接続して設けられ、錠桿７が車用の錠前９の伸縮性を具えた錠桿に形成される。
【００７４】
この発明では、タンブラー２０に他の駆動部材（図示しない）を用いて、孔１５内の移動を制御してもよい。該駆動部材は、ハンドル、ボタン、或いは桿体などでもよい。
【００７５】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００７６】
【図１】この発明の錠前を示した分解図である。
【図２】この発明の錠前の前方ディスクと、前方ディスクセットとを組み合わせた状態を示した拡大図である。
【図３】この発明の錠前の後方ディスクと、後方ディスクセットとを組み合わせた状態を示した拡大図である。
【図４】この発明の錠前を長手方向で切断した状態を示した拡大図である。
【図５】この発明の錠前をかけた時のタンブラーと内筒との位置を示した斜視図である。
【図６】この発明の錠前を閉じる場合、タンブラーと内筒との位置を示した拡大図である。
【図７】この発明の錠前の内部を示した拡大図である。
【図８】この発明の錠前を使用した状態を示した説明図である。
【図９】この発明の錠前の他の実施形態を示した説明図である。
【符号の説明】
【００７７】
１       筒
１０     外筒
１１     内筒
１１０   隙間
１２     蓋体
１３     緩衝弾性片
１４     設置空間
１４０   前方空間
１４１   後方空間
１５     孔
１６     鍵穴
１７     表示
２       タンブラーセット
２０     タンブラー
２１     弾性部材
２２     凸部
３       前方ディスクセット
３０     軸管
３１     第一ディスク体
３１０   凸凹
３１１   凹部
３１２   凸部
３１３   軸部
３２     第二ディスク体
３２０   凸凹
３２１   凹部
３２２   凸部
３３     パッド
４       前方ディスク
５       後方ディスクセット
５０     軸
５１     第三ディスク体
５１０   凸凹
５１１   凹部
５１２   凸部
５１３   軸部
５２     第四ディスク体
５２０   凸凹
５２１   凹部
５２２   凸部
５３     パッド
６       後方ディスク
７       錠桿
７０     溝
８       錠前
９       錠前
【図１】
2012062639.tif 000003
【図２】
2012062639.tif 000004
【図３】
2012062639.tif 000005
【図４】
2012062639.tif 000006
【図５】
2012062639.tif 000007
【図６】
2012062639.tif 000008
【図７】
2012062639.tif 000009
【図８】
2012062639.tif 000010
【図９】
2012062639.tif 000011